(57)【要約】  消しゴム組立体は、少なくとも一つの消しゴムと、少なくとも一つの切欠を含む第１リムを有する消しゴムホルダーと、消しゴムキャップとを有する。消しゴムは消しゴムホルダーに配置される。消しゴムキャップは、消しゴムキャップから延びる少なくとも一つのタブを有する。消しゴムキャップのタブは、消しゴムホルダーの切欠と係合し、これにより、キャップを消しゴムホルダーに固定し、消しゴムを密閉する。
2015506859.tif 000002
【特許請求の範囲】
【請求項１】
消しゴム組立体であって、
少なくともひとつの消しゴムと、
少なくとも一つの切欠を含む第１リムを有し、消しゴムが配置される消しゴムホルダーと、
消しゴムキャップにして、該消しゴムキャップから突出する少なくとも一つのタブを有する消しゴムキャップとを備え、
消しゴムキャップのタブは消しゴムホルダーの切欠と係合し、これにより、キャップを消しゴムホルダーに固定すると共に消しゴムを密閉する消しゴム組立体。
【請求項２】
前記消しゴムホルダーは、第１端部と、第１端部とは反対側に配置される第２端部と、第１端部に配置される第１消しゴムを収容する第１受け口と、第２端部に配置された第２消しゴムを収容する第２受け口とを備える請求項１の消しゴム組立体。
【請求項３】
前記第１受け口は第１リムを含み、第１リムは消しゴムホルダーの第１端部に配置され、第１リムは第１切欠と第１切欠とは反対側に配置された第２切欠とを有する請求項１又は２の消しゴム組立体。
【請求項４】
前記第２受け口は第２リムを含み、第２リムは消しゴムホルダーの第２端部に配置され、第２リムは第１切欠と第１切欠とは反対側に配置された第２切欠とを有する請求項１〜３のいずれか１項の消しゴム組立体。
【請求項５】
前記リムは一組の切欠を含み、消しゴムホルダーの一組の切欠各々は雌区域を含む請求項１〜４のいずれか１項の消しゴム組立体。
【請求項６】
前記消しゴムキャップは一組のタブを含み、該一組のタブ各々は、前記雌区域に対し相補的形状を有する雄区域を含む請求項１〜５のいずれか１項の消しゴム組立体。
【請求項７】
前記消しゴムキャップは円形リップを含み、円形リップは、該円形リップから突出する第１タブと、第１タブの向こう側に配置され、円形リップから突出する第２タブとを有する請求項１〜６のいずれか１項の消しゴム組立体。
【請求項８】
前記消しゴムホルダーは、筆記用具のチャネルにフィットするように適合された凸部を含み、凸部のチャネルへのフィットにより、消しゴムホルダーを筆記用具に固定する請求項１〜７のいずれか１項の消しゴム組立体。
【請求項９】
消しゴム組立体であって、
消しゴムホルダーと消しゴムキャップとを備え、
消しゴムホルダーは、第１端部と、第１端部とは反対側に配置された第２端部と、第１消しゴムを収容する、第１端部に配置された第１受け口と、第２消しゴムを収容する、第２端部に配置された第２受け口と、第１端部に配置された、第１切欠及び第２切欠を有する第１リムと、第１切欠と第１切欠とは反対側に配置された第２切欠とを有する第２リムとを有し、
消しゴムキャップは円形リップを有し、円形リップは、円形リップから突出する第１タブと、第１タブとは反対側に配置され、円形リップから突出する第２タブとを有し、
消しゴムキャップの第１及び第２タブは、第１及び第２切欠とそれぞれ係合し、これにより、消しゴムキャップを消しゴムホルダーに固定すると共に第１及び第２消しゴムの一方を密閉する消しゴム組立体。
【請求項１０】
前記消しゴムキャップの第１及び第２タブは、第１及び第２雄区域である請求項９の消しゴム組立体。
【請求項１１】
前記消しゴムホルダーの第１及び第２リムの両方に配置された第１及び第２切欠は第１及び第２雌区域であり、第１及び第２雌区域は、消しゴムキャップの第１及び第２雄区域を受け入れるように適合される請求項９又は１０の消しゴム組立体。
【請求項１２】
作動可能な筆記具を含む筆記用具であって、
少なくとも一つの消しゴムと、少なくとも一つの切欠及び底面を含む第１リムを有する消しゴムホルダーとを有する消しゴム組立体にして、消しゴムは消しゴムホルダーに配置され、消しゴムキャップは該消しゴムキャップから延びる少なくとも一つのタブを有し、消しゴムキャップのタブは消しゴムホルダーの切欠と係合し、これにより、キャップを消しゴムホルダーに固定して消しゴムを密閉する消しゴム組立体と、
消すことができる筆記マーキングを書くことができる筆記要素を収容するためのバレルにして、消しゴム組立体が連結されるバレルと、
バレル内に収容された筆記用具のための前進機構を作動させることができるプランジャ要素にして、上面を有するプランジャ要素とを備え、
消しゴムホルダーの底面がプランジャ要素の上面と係合し、前記底面がプランジャ要素と接触してプランジャ要素を前進させることができ、これにより、筆記具のための前進機構を作動させる筆記用具。
【請求項１３】
前記消しゴムホルダーは、筆記用具のチャネルにフィットするように適合された凸部を含み、これにより、消しゴムホルダーを筆記用具に固定する請求項１２の筆記用具。
【請求項１４】
前記消しゴム組立体の消しゴムホルダーは、第１端部と、第１端部とは反対側の第２端部と、第１消しゴムを収容する第１端部に配置される第１受け口と、第２消しゴムを収容する第２端部に配置される第２受け口と、第１端部に配置され、第１切欠及び第２切欠を有する第１リムと、第２端部に配置され、第１切欠及び第１切欠とは反対側に配置された第２切欠を有する第２リムとを更に備え、
消しゴムキャップは円形リップを有し、円形リップは円形リップから延びる第１タブと第１タブとは反対側に配置され円形リップから延びる第２タブとを有し、消しゴムキャップの第１及び第２タブは、第１及び第２切欠の一方と係合し、これにより、消しゴムキャップを消しゴムホルダーに固定し、第１及び第２消しゴムの一方を密閉する請求項１２又は１３の筆記用具。
【請求項１５】
前記消しゴムキャップの第１及び第２タブは第１及び第２雄区域である請求項１４の筆記用具。
【請求項１６】
前記消しゴムホルダーの第１及び第２リムの両方に配置される第１及び第２切欠は、消しゴムキャップの第１及び第２雄区域を受け入れるように適合される第１及び第２雌区域である請求項１５の筆記用具。
【請求項１７】
前記筆記用具は、シャープペンシル、消すことができるペン、ボールペン、消すことができるマーカ、及びフェルトペンからなる群から選択される請求項１２〜１６のいずれか１項の筆記用具。
【請求項１８】
前記筆記要素は、黒鉛鉛筆芯、及びインク筒と流体連通するペン先からなる群から選択されるペン先を含む請求項１２の筆記用具。
【請求項１９】
前記ペン先は、ボールペン先、フェルト先端、押し出しプラスチック先端、及び、毛管作用マーカに使用する多孔性ペン先から選択され得る請求項１８の筆記用具。
【請求項２０】
前記前進機構は、ラチェット機構及びクラッチ機構からなる群から選択される請求項１２〜１９のいずれか１項の筆記用具。
【発明の詳細な説明】
【技術分野】
【０００１】
この開示は、一般に筆記用具に関し、更に詳しくは、筆記用具のための消しゴムキャップ組立体に関する。
【背景技術】
【０００２】
シャープペンシルの耐用年数は、その消しゴムの大きさによりしばしば制限される。一つの解決策は、非常に大きい消しゴムを含めることにより、消しゴムの寿命を延ばすことにある。又は、一面が使い尽くされた後、ひっくり返すことができる両面消しゴムである。例えば米国特許第１，９１４，７５３号参照。あいにく、延びた「寿命」を有するそのような消しゴムを、作動機構として使用される鉛筆の領域に組み込むことは難しい。
【先行技術文献】
【特許文献】
【０００３】
【特許文献１】米国特許第１，９１４，７５３号
【発明の概要】
【発明が解決しようとする課題】
【０００４】
消しゴムのもう一つの問題は、それらが（不幸にも）、よごれ、ほこり、及び他の周囲の粒子を簡単に拾い上げて保持することである。よごれ、ほこり及び周囲の粒子は、消しゴムを見た目に魅力のないものにすることができ、また、鉛筆のマークをきれいに除去する消しゴムの機能を低下させもする。このよごれ問題は、事務用品店の機能を「ばら売り品」で、すなわちプラスチック包装なしで、シャープペンシルを提供するように制限し得る。販売促進のそのような方法は、有利であり、販売時点での消費者による製品の迅速なテストを助長することにより、最終消費者に対する潜在的に購入機会を高める。
【０００５】
このよごれ問題はまた、鉛筆が最初は使用され、及び／又は、机、ブリーフケース又は、汚れへの露出が生じる任意の他の容器又は領域に単に保管された後、消費者に魅力のない、乱雑に見える鉛筆を持たせ得る。このよごれ問題に対する一つの解決策は、消しゴムを覆うように配置されるキャップを提供することである。しかしながら、これは困難であり得る。例えば、キャップが消しゴムのみに対して適合される場合、キャップは、消しゴムが縮小し、形状が変わった後、所定位置に留まることができないかもしれない。キャップが消しゴム及び消しゴムを保持する対応区域に対してフィットする場合、キャップの直径は、シャープペンシルの端部が過大な程度まで拡大することが必要であり得る。この拡大は、特に消しゴム部分が作動機構として作用する場合、見苦しいものとなり得る。いずれの場合も、消しゴム部分に比べてのキャップの拡径は、シャープペンシルの審美性に悪影響を与え得る。更に、そのようなキャップを取り替えたり、失うことは非常に簡単である。
【課題を解決するための手段】
【０００６】
消しゴム組立体は、少なくともひとつの消しゴムと、少なくとも一つの切欠を含む第１リムを有し、消しゴムが配置される消しゴムホルダーと、消しゴムキャップにして、該消しゴムキャップから突出する少なくとも一つのタブを有する消しゴムキャップとを備える。消しゴムキャップのタブは消しゴムホルダーの切欠と係合し、これにより、キャップを消しゴムホルダーに固定すると共に消しゴムを密閉する。
【０００７】
消しゴム組立体の前記消しゴムホルダーは、第１端部と、第１端部とは反対側に配置される第２端部と、第１端部に配置される第１消しゴムを収容する第１受け口と、第２端部に配置された第２消しゴムを収容する第２受け口とを更に含み得る。
【０００８】
加えて、前記第１受け口は、消しゴムホルダーの第１端部に配置される第１リムを含み得る。第１リムは第１切欠と第１切欠とは反対側に配置された第２切欠との両方を含み得る。
【０００９】
前記第２受け口は、消しゴムホルダーの第２端部に配置される第２リムを含み得る。第２リムは第１切欠と第１切欠とは反対側に配置された第２切欠との両方を有する。
【００１０】
そのため、前記第１及び／又は第２リムの両方は、一組の切欠を含み、また、消しゴムホルダーの一組の切欠各々は雌区域であり得る。
【００１１】
更にまた、前記消しゴムキャップは一組のタブを含むことができ、該一組のタブ各々は、前記雌区域に対し相補的形状を有する雄区域を含み得る。
【００１２】
加えて、前記消しゴムキャップは円形リップを含み得、円形リップは、該円形リップから突出する第１タブと、第１タブの向こう側に配置され、円形リップから突出する第２タブとを有する。
【００１３】
前記消しゴムホルダーは、筆記用具のチャネルにフィットするように適合された少なくとも一つの凸部を更に含み得、凸部のチャネルへのフィットにより、消しゴムホルダーを筆記用具に固定する。
【００１４】
別の例において、消しゴム組立体は、消しゴムホルダーを備え、消しゴムホルダーは、第１端部と、第１端部とは反対側に配置された第２端部と、第１消しゴムを収容する、第１端部に配置された第１受け口と、第２消しゴムを収容する、第２端部に配置された第２受け口と、第１端部に配置され、第１切欠及び第２切欠を有する第１リムと、第２端部に配置され、第１切欠と第１切欠とは反対側に配置された２切欠とを有する第２リムとを有する。消しゴム組立体は、消しゴムキャップを更に備える。消しゴムキャップは円形リップを有し、円形リップは、円形リップから突出する第１タブと、第１タブとは反対側に配置され、円形リップから突出する第２タブとを有する。消しゴムキャップの第１及び第２タブは、第１及び第２切欠とそれぞれ係合し、これにより、消しゴムキャップを消しゴムホルダーに固定すると共に第１及び第２消しゴムの一方を密閉する。
【００１５】
更に別の例において、作動可能な筆記具を含む筆記用具は、少なくとも一つの消しゴムと、少なくとも一つの切欠及び底面を含む第１リムを有する消しゴムホルダーとを有する消しゴム組立体を備える。消しゴムは消しゴムホルダーに配置され、消しゴムキャップは該消しゴムキャップから延びる少なくとも一つのタブを有する。消しゴムキャップのタブは消しゴムホルダーの切欠と係合し、これにより、キャップを消しゴムホルダーに固定して消しゴムを密閉する。筆記用具は、消すことができる筆記マーキングを書くことができる筆記要素を収容するためのバレルを更に備える。消しゴム組立体はバレルに連結される。筆記用具は、バレル内に収容された筆記用具のための前進機構を作動させることができるプランジャ要素を更に備える。プランジャ要素は上面を有する。消しゴムホルダーの底面がプランジャ要素の上面と係合し、前記底面がプランジャ要素と接触してプランジャ要素を前進させることができ、これにより、筆記具のための前進機構を作動させる。
【図面の簡単な説明】
【００１６】
【図１】図１は、筆記用具内に配置された消しゴム組立体の上部斜視図である。
【図２】図２は、筆記用具から取り外し自在に離脱される消しゴム組立体の別の上部斜視図である。
【図３】図３は、消しゴム組立体が内部に配置され得る筆記用具に対する消しゴム組立体の分解側面図である。
【図４】図４は、消しゴムホルダーに固定された消しゴムキャップを有する消しゴム組立体の側面図である。
【図５】図５は、消しゴムホルダーから取り外された消しゴムキャップを有する消しゴム組立体の側面図である。
【発明を実施するための形態】
【００１７】
図１〜３を参照して、消しゴム組立体１０が例示される。図１に示すように、消しゴム組立体１０は筆記用具１２内に配置される。一般に、消しゴム組立体１０は、少なくとも一つの切欠３０ａ、３０ｂ（図３）を含むリム２８ａ、２８ｂ（図３）を有する消しゴムホルダー１４と、消しゴムホルダー１４に配置された消しゴム２２ａ、２２ｂ（図２及び３）と、少なくとも一つのタブ４０（図３）を有するキャップ１６とを含む。タブ４０はキャップ１６から延びる。より詳しくは、下記に更に詳述するように、消しゴムキャップ１６の一組のタブ４０、４２は、例えば消しゴムホルダー１４の切欠３０ａ及び第２切欠３２ａ（図示せず）と連結し、キャップ１６を消しゴムホルダー１４に固定し、消しゴム２２を密閉する。例示された実施形態は、一組の切欠３０ａ、３２ａと連結する一組のタブ４０、４２を含むが、代替的に単一のタブ４０が単一の切欠３０ａと連結し得る。消しゴムホルダー１４は、一般に、円筒形状であり、下記に更に詳述するように第１及び第２開口を含む。加えて、一般に円筒形状であるが、消しゴムホルダー１４は種々の他の形状、正方形及び長方形等をもとり得る。消しゴム組立体１０は、二つの消しゴム２２ａ、２２ｂを含んで示されるが、代替的に単一の消しゴムが使用され得る。
【００１８】
ここで図２及び３を参照して、消しゴムホルダー１４は、第１端部１４ａと、第１端部１４ａとは反対側に配置された第２端部１４ｂとを含む。第１消しゴム２２ａを収容する第１受け口２６ａ（図３）は第１端部１４ａに配置され、また、第２消しゴム２２ｂを収容する第２受け口２６ｂは第２端部１４ｂに配置される。加えて、第１及び第２消しゴム２２ａ、２２ｂは、消しゴムホルダーのように、典型的には円筒形状である。消しゴム２２ａ、２２ｂは円筒形状として例示されるが、これらも種々の他の形状、例えば正方形及び長方形等をとることができる。壁（図示せず）は、第１端部１４ａと第２端部１４ｂとのほぼ中間の消しゴムホルダー１４内に配置され得る。該壁は、消しゴムホルダー１４を第１及び第２受け口２６ａ、２６ｂへと区分し、第１及び第２消しゴム２２ａ、２２ｂが消しゴムホルダー１４内に配置された際、両消しゴム２２が互いに離れて接触しないことを可能にする。もちろん、壁が除去された場合、より大きい消しゴム２２が使用可能となる。しかし、一般に、比較的小さい消しゴムを取り替えたり、元の位置に戻したりすることがより簡単であり、そのため、二つの消しゴム２２ａ、２２ｂが一般に好ましい。
【００１９】
図３に更に例示されるように、第１受け口２６ａは、第１端部１４ａに配置された第リム２８ａを含み、第１リム２８ａは、一組の切欠、すなわち第１切欠３０ａと切欠３０ａとは反対側に配置された第２切欠３２ａ（図示せず）とを有する。同様の態様にて、第２受け口２６ｂは、第２端部１４ｂに配置された第２リム２８ｂを含み、第２リム２８ｂも、一組の切欠である、第１切欠３０ｂと第１切欠３０ｂとは反対側の第２切欠３２ｂとを有する。そのため、第１及び第２リム２８ａ、２８ｂ各々は一組の切欠を含み、また、各切欠３０ａ、３０ｂ、３２ａ、３２ｂは、切欠３０ａ、３０ｂ、３２ａ、３２ｂを受け入れることができる雌区域を含む。
【００２０】
消しゴムキャップ１６は、第１端部３４及び第２端部３６を含み、第２端部３６は円形リップ３８と円形リップ３８から延びる一組のタブとを有する。一組のタブの各タブ４０、４２は、消しゴムホルダー１４の第１及び第２リム２８ａ、２８ｂの各切欠３０ａ、３０ｂ、３２ａ、３２ｂの雌区域に対し相補的形状を有する雄区域を含む。より詳しくは、第１タブ４０は円形リップ３８から突出し、第１タブの向こう側に配置される第２タブ４２も円形リップ３８から突出する。
【００２１】
キャップ１６を消しゴムホルダー１４に取り付けることが望まれる場合、例えば、消しゴムホルダー１４にキャップ１６を固定して消しゴム２２を密閉するため、第１及び第２タブ４０、４２が消しゴムホルダー１４の第１端部１４ａに配置された第１及び第２切欠３０ａ、３０ｂと連結してこれらにカチッと入れられる。あるいは、同様の態様にて、キャップ１６は、消しゴムホルダー１４の第２端部１４ｂに固定され得る。この場合、例えば、キャップ１６のリップ３８の第１及び第２タブ４０、４２は、第１及び第２切欠３０ｂ、３２ｂとそれぞれ連結してこれらにカチッと入れられる。いずれの例でも、キャップが消しゴムホルダー１４に固定されて消しゴム２２を密閉する場合、消しゴム２２は、筆記用具の使用中、拾い上げるゴミが少なく、より清浄で、より外観がきれいで心地良い消しゴム２２をもたらし、連続的に提供する。
【００２２】
再び図２を参照して、消しゴムホルダー１４は、少なくとも一つの凸部１８を更に含む。凸部１８は、筆記用具１２のスロット又はチャネル２０にフィットするように適合される。これにより、消しゴム組立体１０の消しゴムホルダー１４を筆記用具１２に対し移動可能に固定することができる。凸部１８は、消しゴムホルダー１４の外側面で、消しゴムホルダー１４の第１端部１４ａと第２端部１４ｂとの間のほぼ中間に配置される。加えて、例示されるように、凸部１８は、Ｔ字形状であり、皿頭形状を有する比較的幅広の上部１８ａと、上部１８ａに対する茎又は首を提供する比較的狭い底部１８ｂとを含み、これは、例えば、上部１８ａが底部１８ｂの上方に交差してＴ形状を形成するようにされる。消しゴムホルダー１４が筆記用具１２に固定される場合、Ｔ字形凸部１８の狭い底部１８ｂがチャネル２０の狭い部分２０ａによって最初に受け入れられる。チャネル２０のこの狭い部分２０ａが最初に凸部１８の底部１８ｂと結合し、凸部１８の上部１８ａを案内して上部１８がチャネル２０内にカチッと嵌まることを許容する。凸部１８とチャネル２０間のこのスナップ嵌め及び相互作用は、消しゴムホルダー１４を筆記用具１２に効果的に解放可能に固定することができる。
【００２３】
図４を参照して、キャップ１６は、消しゴムホルダー１４の第１端部１４ａに固定される。より詳しくは、キャップ１６の円形リップ３８から突出する第１タブ又は雄区域４０は、消しゴムホルダー１４のリム２８ａの第１切欠３０内に挿入され、消しゴムキャップ１６を消しゴムホルダー１４に固定し、第１消しゴム２２をそこに密閉する。この図面には示さないが、第１タブ４０が第１切欠３０ａに挿入された場合、キャップの円形リップ３８から延びる第２タブ又は雄区域４２（図３）も、消しゴムホルダー１４のリム２８ａの第２切欠３２ａ（図示せず）に同時に挿入され、消しゴムキャップ１６を消しゴムホルダー１４へと更に留めることが理解される。上述したように、例示の実施形態は、一組の切欠３０ａ、３２ａと連結する一組のタブ４０、４２を含むが、単一のタブ４０が代替的に単一の切欠３０ａと連結し得る。
【００２４】
今度は図５を参照して、キャップ１６は、一組のタブ４０、４２を一組の切欠３０ａ、３２ａから解放することにより、消しゴムホルダー１４の第１端部１４ａから取り外され、これにより、例えば、受け口２６ａ内に配置された第１消しゴム２２ａが使用されることを許容する。加えて、キャップ１６は、次いで、キャップ１６が消しゴムホルダー１４の第１端部１４ａに固定される態様と同様の態様で、代替的に消しゴムホルダー１４の第２端部１４ｂに固定され得る。換言すれば、消しゴムキャップの第１及び第２タブ４０、４２は、消しゴムホルダーの第２端部１４ｂの第１及び第２切欠３０ｂ、３２ｂと連結することができ、これにより、消しゴムキャップ１６を消しゴムホルダー１４に固定し、第２消しゴム２２ｂを密閉する。
【００２５】
図１〜３の筆記用具１２は、消すことができる筆記マーキングを書くことができる筆記要素を収容するためのバレル５０を含む。図１に例示されるように、消しゴム組立体１０は、凸部１８を介してバレル５０に連結される。筆記用具１２は、プランジャ要素５４を更に含む。プランジャ要素５４は、バレル５０に収容された筆記具５２のための前進機構５６（図３）を作動させることができる。プランジャ要素５４は、上面５８（図２）を含む。消しゴム組立体１０が筆記用具１２内に配置された場合、消しゴムホルダー１４の第２リム２８ｂ又は底面がプランジャ要素５４の上面５８と係合し、機構５６を前進させるように消し消費者によってゴム組立体１０が作動された時に底面１５又は第２リム２８ｂがプランジャ要素５４を前進させることを可能にし、筆記具４８の前進及び突出を許容する。
【００２６】
筆記用具１２は、シャープペンシル、消すことができるボールペン、消すことができるマーカ、及びフェルトペンを含む筆記具から選択され得るが、これらに限定されない。加えて、筆記具５２は、黒鉛鉛筆芯、又は消すことができるインクを収容するインク筒と流体連通するペン先であり得る。ペン先は、ボールペン先、フェルト先端、押し出しプラスチック先端、及び、毛管作用マーカに使用する多孔性ペン先から選択され得るが、これらに限定はされない。
【００２７】
通常、前進機構は、ラチェット機構及びクラッチ機構からなる群から選択される慣用前進機構である。より詳しくは、ラチェット機構は、シャープペンシル及び消すことができるペンの両方に使用され得る。クラッチ機構は、一般に、シャープペンシルに用いられる。
【００２８】
よく知られているように、ラチェットベース鉛筆において、芯は、鉛筆の先端のリング内部の二つ又は三つの小さいジョーによって所定位置に保持される。ジョーは、鉛筆の端部又は側部のボタンを押すことにより制御される。ボタンが押された場合、ジョーは前方に動いて分離し、芯が前進することを許容する。ボタンが解放されたら、ジョーは後退し、ジョーがそれらの把持を回復するまで、芯を所定位置に保つ芯保持器又はデバイスが、芯が外部に自由落下したり、バレル内へと上昇することを防ぐ。
【００２９】
一般のクラッチベース鉛筆は、消しゴムキャップを押すことによって作動され、先端内のジョーを開放し、バレルを通じての芯の自由落下（又は、後退時にはバレル内へ）を許容する。芯はジョーが開放した際に自由に落下するので、その前進運動は、外部的にその進行を止めることを除き、制御することができない。これは、例えば、鉛筆の先端を作業面上数ミリに保つことにより、行われ得る。
【００３０】
インク筒を収容する引っ込み式ボールペン筆記用具（すなわちペン及びマーカ）に関し、ラチェット機構内のばねがインク筒の後退を許容する。より詳しくは、第１ばね、例えばラチェットばねが、バレルの底半部（ここに先端が突出する）に配置される。インク筒は、バレルの開放端を通ってインク筒が挿入される前に、この第１ばねを通じて配置される。インク筒の他方側部には、バレルの上半部内に配置されるばねが存在する。このばねは、例えばボタンばねは、しばしばねじ及びクリップに連結され、ねじ及びクリップは、ペンの端部のボタンに連結され、ボタンが作動されることを可能にする。ボタンの作動がペン内のインク筒の運動を生じさせ、これは、例えば、ペン先が突き出ることができ、これによりその使用を助長するように行われる。
【００３１】
本開示の好ましい実施形態が上述されたが、特許請求の範囲内で変更がなされ得る。
【図１】
2015506859.tif 000003
【図２】
2015506859.tif 000004
【図３】
2015506859.tif 000005
【図４】
2015506859.tif 000006
【図５】
2015506859.tif 000007
【国際調査報告】
2015506859.tif 000008
2015506859.tif 000009
2015506859.tif 000010
2015506859.tif 000011